(57)【特許請求の範囲】
【請求項１】
ネットワークと、
該ネットワークに接続され、各種タイヤの直径を格納するデータベースを具えるサーバと、
該ネットワークに接続され、タイヤの少なくとも一部に装飾が施された装飾タイヤを注文するためのユーザ端末と、
を具える装飾タイヤ注文システムであって、
前記ユーザ端末は、
ユーザが、装飾が施されるタイヤを特定し、装飾タイヤの装飾とタイヤを装着した車輌の走行速度とを指定するための、情報入力手段と、
表示画面と、
を具え、
該サーバは、指定された装飾が施された前記装飾タイヤが回転する際の外観を算出してユーザ端末の表示画面に表示させる回転時外観表示手段を含み、
該サーバの前記回転時外観表示手段は、
前記ユーザ端末の前記情報入力手段にて特定されたタイヤの、タイヤ直径を、前記データベースから取得し、
前記ユーザ端末の前記情報入力手段にて指定された該車輌の走行速度と、前記タイヤ直径とから、タイヤの回転角速度を算出し、
該回転角速度に基づいて、動画の各フレームに対応する時刻のタイヤ周方向の位相を算出し、該装飾タイヤの装飾をタイヤの回転軸周りに、該タイヤ周方向の位相分だけ回転させて、タイヤ回転時の動画の各フレームを作成し、
前記各フレームを繋いでタイヤ回転時の動画を作成し、
前記ユーザ端末の前記表示画面に、前記タイヤ回転時の動画を表示させることを特徴とする装飾タイヤ注文システム。
【請求項２】
ネットワークと、
該ネットワークに接続されたサーバと、
該ネットワークに接続され、タイヤの少なくとも一部に装飾が施された装飾タイヤを注文するためのユーザ端末と、
を具える装飾タイヤ注文システムであって、
前記ユーザ端末は、
ユーザが、装飾タイヤの装飾を指定するための、情報入力手段と、
表示画面と、
を具え、
該サーバは、指定された装飾が施された前記装飾タイヤが回転する際の外観を算出してユーザ端末の表示画面に表示させる回転時外観表示手段を含み、
該サーバの前記回転時外観表示手段は、
前記ユーザ端末の前記情報入力手段にて指定された該装飾タイヤの装飾を、タイヤ半径方向で、タイヤ回転軸を中心とする複数の帯に分割し、
前記各帯で、タイヤ周方向の色分布を計測し、
該色分布の計測結果に基づいて、各帯で、タイヤ回転時に視認される色彩を混色法によって算出し、
各帯で算出したタイヤ回転時に視認される色彩を繋ぎ合わせて、タイヤ回転時の視認画像を作成し、
前記ユーザ端末の前記表示画面に、前記タイヤ回転時の視認画像を表示させることを特徴とする装飾タイヤ注文システム。
【請求項３】
ネットワークと、
該ネットワークに接続され、各種タイヤの直径を格納するデータベースを具えるサーバと、
該ネットワークに接続され、装飾タイヤを注文するためのユーザ端末とを含む装飾タイヤ注文システムにおけるユーザ端末での画面表示方法であって、
ユーザがユーザ端末でタイヤを特定し、装飾タイヤの装飾とタイヤを装着した車輌の走行速度とを入力する段階と、
該サーバが、特定されたタイヤのタイヤ直径をデータベースから取得する段階と、
該サーバが、該車輌の走行速度と該タイヤの直径からタイヤの回転角速度を算出する段階と、
該サーバが、該回転角速度に基づいて、動画の各フレームに対応する時刻のタイヤ周方向の位相を算出し、該装飾タイヤの装飾をタイヤの回転軸周りに、該タイヤ周方向の位相分だけ回転させて、タイヤ回転時の動画の各フレームを作成する段階と、
該サーバが、各フレームを繋いでタイヤ回転時の動画を作成する段階と、
該ユーザ端末が、表示画面にタイヤ回転時の動画を表示する段階とを含む事を特徴とする装飾タイヤ注文システムにおける画面表示方法。
【請求項４】
ネットワークと、
該ネットワークに接続されたサーバと、
該ネットワークに接続され、装飾タイヤを注文するためのユーザ端末とを含む装飾タイヤ注文システムにおけるユーザ端末での画面表示方法であって、
ユーザが、ユーザ端末で装飾タイヤの装飾を入力する段階と、
該サーバが、該装飾タイヤの装飾を、タイヤ半径方向で、タイヤ回転軸を中心とする複数の帯に分割する段階と、
該サーバが、各帯で、タイヤ周方向の色分布を計測する段階と、
該サーバが、該色分布の計測結果に基づいて、各帯で、タイヤ回転時に視認される色彩を混色法によって算出する段階と、
該サーバが、各帯で算出したタイヤ回転時に視認される色彩を繋ぎ合わせて、タイヤ回転時の視認画像を作成する段階と、
該ユーザ端末が、表示画面にタイヤ回転時の視認画像を表示する段階とを含むことを特徴とする、装飾タイヤ注文システムにおける画面表示方法。
【発明の詳細な説明】
【技術分野】
【０００１】
この発明は、ネットワークと、該ネットワークに接続されたサーバと、該ネットワークに接続され、タイヤの少なくとも一部に装飾が施されたタイヤ（以下、「装飾タイヤ」という）を注文するためのユーザ端末とを具える装飾タイヤ注文システム及び該装飾タイヤ注文システムにおける画面表示方法に関するものである。
【背景技術】
【０００２】
商品をインターネットで購入するユーザが、ＰＣ（Ｐｅｒｓｏｎａｌ  Ｃｏｍｐｕｔｅｒ）等の端末からインターネットを通じて業者のサイトにアクセスし、端末上で商品の装飾を確認した後に、その商品を注文するシステムが提案されている。
【０００３】
しかしながら、タイヤの場合には、車輌走行時に回転することで、静止時から外観が変化する。そのために、購入したタイヤを車輌に装着して走行した際に、ユーザが所期する装飾性の要求を満たせないおそれがあった。
【発明の概要】
【発明が解決しようとする課題】
【０００４】
この発明は、このような問題点を解決することを課題とするものであり、ユーザが装飾タイヤを注文する際に、装飾タイヤを車輌に装着して走行する時の装飾タイヤの外観を確認できる装飾タイヤ注文システム、及び装飾タイヤ注文システムにおける画面表示方法を提供することを目的とするものである。
【課題を解決するための手段】
【０００５】
この発明の一の装飾タイヤ注文システムは、
ネットワークと、
該ネットワークに接続され、各種タイヤの直径を格納するデータベースを具えるサーバと、
該ネットワークに接続され、タイヤの少なくとも一部に装飾が施された装飾タイヤを注文するためのユーザ端末と、
を具える装飾タイヤ注文システムであって、
前記ユーザ端末は、
ユーザが、装飾が施されるタイヤを特定し、装飾タイヤの装飾とタイヤを装着した車輌の走行速度とを指定するための、情報入力手段と、
表示画面と、
を具え、
該サーバは、指定された装飾が施された前記装飾タイヤが回転する際の外観を算出してユーザ端末の表示画面に表示させる回転時外観表示手段を含み、
該サーバの前記回転時外観表示手段は、
前記ユーザ端末の前記情報入力手段にて特定されたタイヤの、タイヤ直径を、前記データベースから取得し、
前記ユーザ端末の前記情報入力手段にて指定された該車輌の走行速度と、前記タイヤ直径とから、タイヤの回転角速度を算出し、
該回転角速度に基づいて、動画の各フレームに対応する時刻のタイヤ周方向の位相を算出し、該装飾タイヤの装飾をタイヤの回転軸周りに、該タイヤ周方向の位相分だけ回転させて、タイヤ回転時の動画の各フレームを作成し、
前記各フレームを繋いでタイヤ回転時の動画を作成し、
前記ユーザ端末の前記表示画面に、前記タイヤ回転時の動画を表示させることを特徴とする。
【０００６】
また、この発明の一の装飾タイヤ注文システムは、
ネットワークと、
該ネットワークに接続されたサーバと、
該ネットワークに接続され、タイヤの少なくとも一部に装飾が施された装飾タイヤを注文するためのユーザ端末と、
を具える装飾タイヤ注文システムであって、
前記ユーザ端末は、
ユーザが、装飾タイヤの装飾を指定するための、情報入力手段と、
表示画面と、
を具え、
該サーバは、指定された装飾が施された前記装飾タイヤが回転する際の外観を算出してユーザ端末の表示画面に表示させる回転時外観表示手段を含み、
該サーバの前記回転時外観表示手段は、
前記ユーザ端末の前記情報入力手段にて指定された該装飾タイヤの装飾を、タイヤ半径方向で、タイヤ回転軸を中心とする複数の帯に分割し、
前記各帯で、タイヤ周方向の色分布を計測し、
該色分布の計測結果に基づいて、各帯で、タイヤ回転時に視認される色彩を混色法によって算出し、
各帯で算出したタイヤ回転時に視認される色彩を繋ぎ合わせて、タイヤ回転時の視認画像を作成し、
前記ユーザ端末の前記表示画面に、前記タイヤ回転時の視認画像を表示させることを特徴とする。
【００１０】
次に、この発明の一のタイヤ注文システムにおける画面表示方法は、ネットワークと、該ネットワークに接続され、各種タイヤの直径を格納するデータベースを具えるサーバと、該ネットワークに接続され、装飾タイヤを注文するためのユーザ端末とを含む装飾タイヤ注文システムにおけるユーザ端末での画面表示方法であって、ユーザがユーザ端末でタイヤを特定して装飾タイヤの装飾とタイヤを装着した車輌の走行速度とを入力する段階と、該サーバが特定されたタイヤのタイヤ直径をデータベースから取得する段階と、該サーバが該車輌の走行速度と該タイヤの直径からタイヤの回転角速度を算出する段階と、該サーバが該回転角速度に基づいて動画の各フレームに対応する時刻のタイヤ周方向の位相を算出し該装飾タイヤの装飾をタイヤの回転軸周りに該タイヤ周方向の位相分だけ回転させてタイヤ回転時の動画の各フレームを作成する段階と、該サーバが各フレームを繋いでタイヤ回転時の動画を作成する段階と、該ユーザ端末が表示画面にタイヤ回転時の動画を表示する段階とを含む事を特徴とする。
この方法によれば、装飾タイヤが実際に車輌に装着されて様々な速度で走行している時の外観を示す動画を、ユーザの装飾タイヤ注文時に提供することで、ユーザは車輌走行時の装飾タイヤの外観を事細かに確認することができる。
【００１１】
また、この発明の一のタイヤ注文システムにおける画面表示方法は、ネットワークと、該ネットワークに接続されたサーバと、該ネットワークに接続され、装飾タイヤを注文するためのユーザ端末とを含む装飾タイヤ注文システムにおけるユーザ端末での画面表示方法であって、ユーザがユーザ端末で装飾タイヤの装飾を入力する段階と、該サーバが該装飾タイヤの装飾をタイヤ半径方向でタイヤ回転軸を中心とする複数の帯に分割する段階と、該サーバが各帯でタイヤ周方向の色分布を計測する段階と、該サーバが該色分布の計測結果に基づいて各帯でタイヤ回転時に視認される色彩を混色法によって算出する段階と、該サーバが各帯で算出したタイヤ回転時に視認される色彩を繋ぎ合わせて、タイヤ回転時の視認画像を作成する段階と、該ユーザ端末が表示画面にタイヤ回転時の視認画像を表示する段階とを含むことを特徴とする。
この方法によれば、ユーザの装飾タイヤ注文時に、装飾タイヤが実際に車輌に装着されて走行している時の外観を示す画像を提供することで、ユーザは車輌走行時の装飾タイヤの外観を確認することができる。ユーザはこの画像を印刷等して利用することもできる。
【００１２】
なお、この発明において、タイヤに施される装飾とは印刷された文字、図形、バーコードを含むものとする。
【図面の簡単な説明】
【００１３】
【図１】本発明の一の実施形態の装飾タイヤ注文システムの構成を示す図である。
【図２】図１の装飾タイヤ注文システムのサーバの制御構成を示す機能ブロック図である。
【図３】図１のユーザ端末に表示される画面の一例を示す図である。
【図４Ａ】本発明の一の実施形態で、ユーザが装飾タイヤを注文する際のフロー図である。
【図４Ｂ】本発明の一の実施形態で、ユーザが装飾タイヤを注文する際のさらに詳しいフロー図である。
【発明を実施するための形態】
【００１４】
以下に、図面を参照しつつ、この発明の実施の形態を例示説明する。
【００１５】
（システム構成）
図１は、この発明の一実施形態に係る装飾タイヤ注文システムの構成図である。装飾タイヤ注文システム１は、ユーザが装飾タイヤを注文する際に、タイヤが回転している時の外観を確認するのに好適なシステムである。
【００１６】
装飾タイヤ注文システム１は、サーバ３と、複数のユーザ端末４と、一つ以上の印刷装置５から構成され、サーバ３は、ユーザ端末４、印刷装置５のそれぞれとネットワーク２を介して通信可能に接続される。
【００１７】
サーバ３、ユーザ端末４、印刷装置５を接続するネットワークの例として、インターネットやイントラネット、無線回線や衛星回線や赤外線通信などがある。
サーバ３と、ユーザ端末４との間のインターフェースは、例えば、ユーザ端末４がＷＥＢブラウザを備え、サーバ３はＷＥＢサーバを立ち上げて、ＨＴＴＰやＨＴＴＰＳによる通信で実現することができる。
また、サーバ３と印刷装置５との間のインターフェースは、例えば、ＳＭＢやＬＰＲによる通信や、サーバ３と印刷装置５とをＵＳＢケーブル等で接続することで実現することができる。
【００１８】
この実施形態の装飾タイヤ注文システムの説明において、ユーザとは、ユーザ端末で装飾タイヤを注文する者をいう。
【００１９】
サーバ３は、ユーザが装飾タイヤを注文でき、ユーザが注文時にタイヤ回転時の外観を確認できるように各種処理を行うとともに、各種タイヤの形状や受注した装飾タイヤの装飾情報等を管理するサーバである。
【００２０】
ユーザ端末４は、装飾タイヤを注文するユーザが使用する端末である。ユーザ端末４の例として、ＰＣやＰＤＡ、携帯電話等の様々な機器を使用することができる。
【００２１】
印刷装置５は、タイヤの工場や販売店等でタイヤに印刷による装飾を施すための装置である。印刷装置５の例として、インクジェット印刷装置等を使用することができる。
【００２２】
（サーバの構成）
図２に示すように、サーバ３は、画面表示手段１１と、回転時外観表示手段１２と、装飾不適領域表示手段１３と、画像変換手段１４と、受注手段１５と、タイヤ装飾取得手段１６と、データベース１７と、情報通信手段１８とを備える。
【００２３】
サーバ３は、ユーザ端末４で装飾タイヤをデザインして注文するための機能と、タイヤが回転している時の外観をユーザ端末の画面に表示する機能と、装飾タイヤを受注する機能とを有するように、各手段が構成される。
【００２４】
画面表示手段１１は、ユーザ端末４に各種画面を表示させる機能を有する。表示される画面は、例えば図３に示されるような装飾タイヤデザイン画面等である。
【００２５】
回転時外観表示手段１２は、装飾タイヤの装飾等に基づいて、タイヤが回転する際の外観をユーザ端末４に表示させる機能を有する。該機能は、タイヤ回転時の外観を示す動画を表示させることができ、また、タイヤ回転時の視認画像を生成させることができる。
【００２６】
装飾不適領域表示手段１３は、データベース１７から、タイヤに装飾を施した際に、縁石や路面等との接触によって装飾が損傷されやすいタイヤの装飾不適領域の情報（装飾不適領域情報）を取得して、ユーザ端末４に表示させる機能を有する。ユーザが装飾不適領域に装飾を施した際に警告を表示させることができる。装飾不適領域をタイヤの外観に重ねて表示させることもできる。
【００２７】
画像変換手段１４は、装飾の内容をタイヤサイド部の形状であるドーナツ状に変換してユーザ端末４の表示画面に表示させる機能を有する。
【００２８】
受注手段１５は、ユーザが注文した装飾タイヤを受注する機能を有する。受注時にサーバ３が受け取る情報は、例えば、タイヤの種類、型名、デザインされた装飾、ユーザの氏名、住所、口座番号等の個人情報や、装飾タイヤの受け取り方法である。
【００２９】
タイヤ装飾取得手段１６は、印刷装置５が受注した装飾タイヤの装飾を印刷する際に、データベース１７から装飾タイヤの装飾情報を取得するための機能である。
【００３０】
データベース１７は、各種タイヤの形状、装飾不適領域情報、車輌及びホイールの外観情報、ユーザの個人情報等を格納する。
【００３１】
情報通信手段１８は、サーバ３がユーザ端末４及び印刷装置５とインターネットを介して通信を行う機能である。
【００３２】
（端末の構成）
ユーザ端末４は、それぞれ図示しない情報通信手段と、情報入力手段と、表示画面とを備える。
【００３３】
情報通信手段は、サーバ３との間で情報を送受信する機能を有する。情報通信手段としてインターネット回線に接続可能なＷＥＢブラウザを利用することができる。
【００３４】
情報入力手段は、ユーザ端末４のユーザが各種機能を入力する機能を有する。情報入力手段を有する端末としてキーボード、マウス及び記憶媒体のスロットを備えたＰＣを利用できる。
また、ユーザ端末４の情報入力手段は、タイヤに施す装飾の内容と装飾の位置を指定する装飾指定手段２１と、装飾が施されるタイヤを特定するタイヤ特定手段２２、装飾タイヤを装着する車輌及び装飾タイヤに組み付けるホイールを指定する車輌・ホイール指定手段２３と、装飾タイヤを装着した車輌の走行速度を指定する走行速度指定手段２４とを有している。
【００３５】
図３に示すように、ユーザ端末４の表示画面２６は、上記の装飾指定手段２１、タイヤ特定手段２２、車輌・ホイール指定手段２３、走行速度指定手段２４の他、ユーザが情報入力手段によって各種情報を入力した後に、表示画面の一定の領域２５に、装飾が施された装飾タイヤの外観（イメージ図）を少なくとも含む、それらの結果を表示する。なお、図３では、領域２５に装飾タイヤのみの外観を表示しているが、車輌・ホイール指定手段２３で指定されるホイールや車輌を一緒に表示させることもできる。
【００３６】
装飾タイヤ発注システム１において、ユーザ端末４で、ユーザは、自分でデザインした装飾タイヤまたは既成の装飾タイヤを注文することができる。そして、ユーザが装飾タイヤを注文する際に、装飾タイヤが静止している時の外観のみならず、タイヤが回転している時の外観をも確認することができる。
【００３７】
また、タイヤの工場や販売店の担当者は、ユーザの発注後速やかに、受注した装飾を印刷装置５でタイヤに印刷し、ユーザに装飾タイヤを提供することができる。
【００３８】
（システム機能の説明）
図１及び図２を参照して、ユーザが装飾タイヤを注文する際に、タイヤが回転している時の外観を確認できるようにするためのシステム機能の説明を行う。なお、ユーザ端末４はサーバ３へのアクセスを確立しており、様々なタイヤの形状がサーバ３のデータベース１７に格納されているものとする。
【００３９】
（タイヤ回転時の動画表示）
１．ユーザは、外観を確認したい装飾タイヤの装飾を、ユーザ端末４の装飾指定手段２１で指定し、タイヤ特定手段２２でタイヤの車種、用途、サイズ、型名等でタイヤを特定し、走行速度指定手段２４で車輌の走行速度を指定する。指定された情報はサーバ３に送信される。
なお、装飾タイヤの装飾は、ユーザ自身で作成した装飾とすることができ、また、既成の装飾をユーザが選択して利用することもできる。以下に示す、タイヤ回転時の視認画像表示においても同様である。また、ユーザがタイヤを特定したり走行速度を指定したりせずに、一般的なタイヤが特定されたり、一般的な走行速度が指定されたこととすることもできる。
２．サーバ３の回転時外観表示手段１２は、データベース１７から、ユーザが特定したタイヤについての形状情報、特にタイヤの直径を取得する。次に、ユーザ端末４の走行速度指定手段２４で指定された車輌の走行速度と、該取得されたタイヤの直径から、タイヤの回転速度を算出する。
次に、算出したタイヤの回転速度に基づいて、動画の各フレームに対応する時刻（例えば１／６０秒間隔）でのタイヤ周方向の位相を算出し、ユーザ端末４の装飾指定手段２１で指定された装飾タイヤの装飾を、タイヤの回転軸周りに、各フレームでのタイヤ周方向の位相分だけ回転させて、動画の各フレームを作成する。
その後、各フレームを繋ぐことによって動画が作成される。作成された動画はユーザ端末４に送信される。
３．ユーザ端末４に、サーバ３が作成した回転時の外観を示す動画が表示される。
【００４０】
（タイヤ回転時の視認画像表示）
１．ユーザは、外観を確認したい装飾タイヤの装飾を、ユーザ端末４の装飾指定手段２１で指定する。指定された情報はサーバ３に送信される。
２．サーバ３の回転時外観表示手段１２は、受信した装飾タイヤの装飾を、タイヤ半径方向で、タイヤ回転軸を中心とする複数の帯に分割する。帯のタイヤ半径方向長さは、例えば１ｍｍとすることができる。
次に、各帯についてタイヤ周方向の色分布を計測する。計測結果は例えば、青が７０％、ピンクが３０％のように表すことができる。
そして、各帯についての色分布の計測結果に基づき、該各帯で、混色法によりタイヤが十分高速に回転している際に視認される色彩を算出する。算出された色彩の輝度は、帯を構成する各色の輝度がその構成比率によって平均化されたものとなる。
最後に、各帯の、タイヤ高速回転時に視認される色彩を統合して、タイヤ回転時の視認画像を作成する。
３．ユーザ端末４に、サーバ３が作成したタイヤ回転時の視認画像が表示される。
【００４１】
（装飾タイヤを注文する際のフロー）
以下、図４Ａ、４Ｂのフローチャートを参照して、装飾タイヤ注文システムで、ユーザが装飾タイヤを注文する際のフローを説明する。
【００４２】
ステップＳ１００では、ユーザは、ユーザ端末４の装飾指定手段２１で装飾タイヤのデザインを行う。ユーザは、データベース１７に格納されている既成の装飾情報をそのまま利用することができ、修正して使用することもできる。また、ユーザが独自に装飾タイヤをデザインすることもできる。
ユーザが既成の装飾を利用する場合には、装飾検索条件（デザイナ、色、季節、キーワード等）を指定して装飾の検索をすることもできる。指定された装飾検索条件はサーバ３に送信され、サーバ３はデータベース１７から装飾検索条件に合致する装飾タイヤの装飾を取得する。その後サーバ３の画面表示手段１１は、ユーザ端末４に、取得した装飾タイヤの装飾を表示する。
【００４３】
ユーザが、ユーザ端末４で装飾タイヤのデザインを行う際には、ユーザが保持する画像を利用することができる。ここで、ユーザが保持する写真や絵等の画像は外枠が長方形であることが多く、表面がドーナツ状であるタイヤのサイド部にそのまま印刷することは難しい。
そこで、ここで示す本発明の実施形態では、サーバ３は、画像変換手段１４を有し、外枠が長方形等の画像を、タイヤのサイド部に印刷するのに適した、外枠がドーナツ状の画像に変換することができる。画像変換は、例えば画像の一部（例えば上部）を引き伸ばしたり、画像の一部（例えば左下部及び右下部）をトリミングしたりし、さらに画像全体を湾曲させることで実現できる。サーバ３が画像変換手段１４を有することで、ユーザが保持する画像を、タイヤのサイド部に印刷するためにデザインし直す必要がなくなるために、ユーザは手軽に、タイヤに対して装飾を施すことができる。
なお、画像変換手段１４は、文字等の他の装飾をドーナツ状に変換して表示画面に表示させることができるようにしてもよい。
【００４４】
また、本発明の実施形態では、サーバ３が装飾不適領域表示手段１４を有することができる。この場合には、サーバの装飾不適領域表示手段１４は、タイヤに装飾を施した際に、データベース１７から、縁石や路面等との接触によって装飾が損傷されやすいタイヤの装飾不適領域の情報（装飾不適領域情報）を取得して、装飾不適領域上に装飾が施されたかチェックし、上記装飾指定手段を介した指定により装飾不適領域上に装飾が施された場合には、装飾不適領域をユーザ端末４に表示させる。それらの表示の方法としては、例えば、ユーザが装飾不適領域に特定の装飾を位置させたときに、画面をポップアップすることで警告を表示することができる。警告を表示する際にユーザが行った操作をキャンセルすることもできる。
また、サーバ３の装飾不適領域表示手段１４は、上記のポップアップ表示とともに、またはこれに代えて、装飾不適領域を、例えば図３のように閉曲線に囲まれたハッチ入りの半透明の領域として、装飾タイヤの装飾とともに確認できるように、換言すれば、装飾タイヤの装飾が依然としてほぼ完全に視認できるように、タイヤの外観に重ねて表示することができる。
【００４５】
ステップＳ２００では、ユーザは、ユーザ端末４で、注文する装飾タイヤを車輌に装着して回転させた時の外観を確認する。このステップでは最初に、ユーザは外観を確認したい装飾タイヤの装飾を、ユーザ端末４の装飾指定手段２１で指定する。次に、タイヤ回転時の動画を表示させるときには、ユーザはユーザ端末４のタイヤ特定手段２２でタイヤの車種、用途、サイズ、型名等でタイヤを特定し、走行速度指定手段２４で車輌の走行速度を指定する。
サーバ３の回転時外観表示手段１２は、ユーザ端末４から受信した上記の情報をもとに、タイヤ回転時の動画またはタイヤ回転時の視認画像を作成して、ユーザ端末３に表示する。
ユーザは、ユーザ端末４でタイヤ回転時の外観を確認する。外観に問題があると判断した場合にはステップＳ１００に戻り、ユーザは装飾タイヤの装飾を修正する。
【００４６】
なお、ユーザが、車輌やホイールに合わせて装飾タイヤをデザインできるようにするために、サーバ３の回転時外観表示手段１２は、ユーザが指定したタイヤが回転する際の外観に重ねて、ユーザが指定した車輌の外観及びホイールの外観を表示できることが好ましい。
この場合、ユーザ端末４の車輌・ホイール指定手段２３で車輌及びホイールを選択することで、サーバ３の回転時外観表示手段１２は、データベース１７から、ユーザ端末４で指定された車輌の外観情報及びホイールの外観情報を取得して、ユーザ端末４に表示させる。
【００４７】
ステップＳ３００では、ユーザは、ユーザ端末４で装飾タイヤの発注処理を行う。具体的には、ユーザ端末４で、住所、氏名等の個人情報や、装飾タイヤの受け取り方法等を入力する。ここで入力された情報及び装飾タイヤの装飾情報は、ユーザ端末４からサーバ３へ送信される。サーバ３は受け取った発注情報をデータベース１７に格納する。その後、装飾タイヤの納期や料金等を求め、ユーザ端末４に表示させる。
なお、すでに装飾タイヤを発注したことがあるユーザの場合には、サーバ３のデータベース１７に格納されている情報を利用することで、入力作業の少なくとも一部を不要とすることができる。
【００４８】
（受注した装飾タイヤの装飾を印刷する際のフロー）
以下、フローチャートは図示しないが、装飾タイヤ注文システムで、工場または販売店の担当者が、印刷装置５で受注した装飾をタイヤに印刷する際のフローを説明する。
【００４９】
ユーザによる装飾タイヤの発注処理が完了した後、工場または販売店の担当者は、印刷装置５で受注した装飾を、タイヤに印刷する。具体的には、印刷装置５は、サーバ３のタイヤ装飾取得手段１６により、ユーザが発注した装飾タイヤの装飾情報をデータベース１７から取得し、該装飾をタイヤに印刷する。本発明の装飾タイヤ注文システムでは、ユーザの注文後速やかにタイヤに印刷による装飾を施すことができるため、ユーザに装飾タイヤを短納期で提供することができる。
【符号の説明】
【００５０】
１  装飾タイヤ注文システム
２  ネットワーク
３  サーバ
４  ユーザ端末
５  印刷装置
１１  画面表示手段
１２  回転時外観表示手段
１３  装飾不適領域表示手段
１４  画像変換手段
１５  受注手段
１６  タイヤ装飾取得手段
１７  データベース
１８  情報通信手段
２１  装飾指定手段
２２  タイヤ特定手段
２３  車輌・ホイール指定手段
２４  走行速度指定手段
２６  表示画面
【図１】
0005869906.tif 000002
【図２】
0005869906.tif 000003
【図３】
0005869906.tif 000004
【図４Ａ】
0005869906.tif 000005
【図４Ｂ】
0005869906.tif 000006